(57)【要約】【目的】  可聴周波数帯域外の超高音域の音声出力と、従来のスピーカーシステムの音声出力とを共に出力させ、音源に忠実な再生をさせる。【解決手段】  音声信号を、ハイパスフィルターとしての極低容量コンデンサーを通過させた可聴周波数帯域外の超高音域の音声信号を、超高音域再生用スピーカーユニットとしてのマイクロスピーカーを用い出力させ、前記出力を共鳴筒を用い共鳴増幅させた出力と、従来のスピーカーシステムの音声出力とを、共に出力させ、前記従来のスピーカーシステムの音声出力の不足成分を補正し、音源に忠実な再生をさせる。【選択図】                    図１
2004357269.tif 000002
【特許請求の範囲】
【請求項１】
共鳴筒（１）に、超高音域再生用スピーカーユニット（２）とハイパスフィルターとしての極低容量コンデンサー（３）とが組み込まれてなることを特徴とするレゾネート型ツィーター。
【請求項２】
上記超高音域再生用スピーカーユニットは、音声信号を上記ハイパスフィルターとしての極低容量コンデンサーを通過させた可聴周波数帯域外の音声信号を出力させてなることを特徴とする請求項１に記載のレゾネート型ツィーター。
【請求項３】
上記共鳴筒は、上記出力を共鳴増幅させてなることを特徴とする請求項１に記載のレゾネート型ツィーター。
【発明の詳細な説明】
【発明の詳細な説明】
【発明を適用する技術分野】
【０００１】  本発明は、音響スピーカーの再生に関する。
【背景技術】
【０００２】  従来の音響再生スピーカーでは、２ウェイ以上の分割周波数割り当て式のシステムが主流で、上記システムのツィーターユニットの振動板は口径が大きく質量もあり、超高音域再生は不可能である。スーパーツィーターに於いても、振動板の口径がまだまだ大きく質量もあり、超高音域再生に於いては不完全である。そのため音源信号に忠実な再生音が望めていない。
【発明が解決しようとする課題】
【０００３】  本発明は、上記の問題点を解消するためになされたもので、音声信号をハイパスフィルターとしての極低容量コンデンサーを用い通過させた可聴周波数帯域外の微小レベルの音声信号を、軽量振動板を用いた超高音域再生用スピーカーユニットを用い出力させ、前記出力を共鳴筒を用い共鳴増幅させた音声出力と、従来のスピーカーシステムの音声出力とを、共に出力させ、前記従来のスピーカーシステムの音声出力の不足成分を補正させ、音源信号に忠実な再生をさせてなるレゾネート型ツィーターを提供することを目的とするものである。
【課題を解決するための手段】
【０００４】  本発明によるレゾネート型ツィーターは、共鳴筒１に、超高音域再生用スピーカーユニット２とハイパスフィルターとしての極低容量コンデンサー３とが組み込まれてなり、超高音域再生用スピーカーユニットは、音声信号を前記ハイパスフィルターとしての極低容量コンデンサーを通過させた可聴周波数帯域外の音声信号を出力させてなり、前記共鳴筒は前記出力を共鳴増幅させてなる。
【作用】
【０００５】  レゾネート型ツィーターは、可聴周波数帯域外の音声出力を共鳴筒を用い共鳴増幅させた出力と、従来のスピーカーシステムの音声出力とを、共に出力させたことにより、前記従来のスピーカーシステムの音声出力の不足成分を補正し、音源信号に忠実な再生をさせる。
【発明を実施するための最良の形態】
【０００６】  以下に、本発明のレゾネート型ツィーターの実施例について図面に基づいて説明する。  図１は、本発明のレゾネート型ツィーターを示す構成図で、１は共鳴筒、２は超高音域再生用スピーカーユニット、３はハイパスフィルターとしての極低容量コンデンサー、４は結線材、５はレゾネート型ツィーターの全体である。  図２は、本発明のレゾネート型ツィーターと従来のスピーカーシステムとの接続を示す構成図で、１０はレゾネート型ツィーター、１１は従来のスピーカーシステム、１２は接続線である。【０００７】  本発明のレゾネートツィーターの実施例について説明する。  共鳴筒１の内部には、超高音域再生用スピーカーユニット２、ハイパスフィルターとしての極低容量コンデンサー３が組み込まれている。  共鳴筒１としては、外径２０ｍｍ、内径１９．５ｍｍ、長さ３０ｃｍの真鍮パイプを用い、超高音域再生用スピーカーユニット２としては、振動板が１６ｍｍ径のマイクロスピーカーを用い、ハイパスフィルターとしての極低容量コンデンサー３としては、３３０ｐＦのアルミ箔スチロールコンデンサーを用いた。  上記マイクロスピーカーは、自己インピーダンスおよび自己インダクタンスと上記３３０ｐＦとが回路バランスしたところより高い可聴周波数帯域外の超高音域の微小レベルの音声出力が得られ、前記微小レベルの音声出力を上記共鳴筒を用いて共鳴増幅させた音声出力と、従来のスピーカーシステム１１としての２ウェイ小型ブックシェルフ型スピーカーシステムの音声出力とを共に再生させたことにより、可聴周波数帯域外の超高音域の周波数のスペクトルの差の干渉、および可聴周波数帯域外の超高音域の周波数と可聴周波数帯域内の周波数のスペクトルの差の干渉による音声出力が、前記従来のスピーカーシステムの音声出力に作用し、前記従来のスピーカーシステムの音声出力の不足成分を補正し、可聴周波数帯域全域の音質を改善し、音源信号に忠実な再生をさせることができた。また、前記共鳴筒の長さを５０ｃｍとし、前記と同様に実施し、同様の効果が得られた。また、前記コンデンサー容量値を２２０ｐＦと、４８０ｐＦと、１０００ｐＦとを、前記と同様に各々用い、前記と同様に各々実施したが、いづれも前記と同様の効果が得られた。前記マイクロスピーカーは振動板が１６ｍｍ径の小径であったことに加え、質量が軽量であったことにより、追従特性および過渡特性が共によく、超高音域の音声出力の再生用スピーカーユニットとして適していた。【０００８】  なお、本実施例では、共鳴筒として、外径２０ｍｍ、内径１９．５ｍｍ、長さ３０ｃｍおよび５０ｃｍの真鍮パイプを用いて説明したが、共鳴筒としての効果があれば、形状、材質、外径、内径、長さは、これに限るものではなく、ハイパスフィルターとしての極低容量コンデンサーにアルミ箔スチロールコンデンサーを用いて説明したが、同様の効果があれば、これに限らず、コンデンサーの容量値に２２０ｐＦ、３３０ｐＦ、４８０ｐＦ、１０００ｐＦを用いて説明したが、これに限らず、容量値が１０００ｐＦ又はそれ以下であれば、いかなる容量値も含まれ、超高音域再生用スピーカーユニットとして、振動板が１６ｍｍ径のマイクロスピーカーを用いて説明したが、同様の効��があれば、これに限るものではない。
【発明の効果】
【０００９】  本発明のレゾネート型ツィーターは、従来のスピーカーシステムと組み合わせて用いることにより、上記従来のスピーカーシステムの音声出力の不足成分を補正し、音源信号により忠実な再生が可能となる。これにより、家庭用オーディオ装置のスピーカー、忠実な再生音を求める録音モニター用スピーカー、語学の明解な発音を求める語学学習装置のスピーカー、カーオーディオのスピーカー、電子楽器のスピーカー、映画館のスピーカー等と併用し、幅広く応用できる。
【図面の簡単な説明】
【図１】本願発明のレゾネート型ツィーターを示す構成図。
【図２】本願発明のレゾネート型ツィーターと従来のスピーカーシステムとの接続         を示す構成図。
【符号の説明】
１・・・共鳴筒          ２・・・超高音域再生用スピーカーユニット          ３・・・極低容量コンデンサー          ４・・・結線材          ５・・・レゾネート型ツィーターの全体          １０・・・レゾネート型ツィーター          １１・・・従来のスピーカーシステム          １２・・・接続線
【図１】
2004357269.tif 000003
【図２】
2004357269.tif 000004